(57)【要約】      （修正有）【課題】固定部材または可動部材から本体を容易に取り外すことができるステーを提供する。【解決手段】ステーは、ロッド２１とロッド２１の端部を挿入するシリンダ２２とを有して、枠および窓の少なくとも一方と連結するブラケット４０とを備える。ブラケット４０は、本体２０の一端２０ａおよび他端２０ｂの少なくとも一方に配置された係合凸部３３が通過可能な第１透孔４８、および第１透孔４８に対して本体２０の伸縮方向Ｘへ連続して係合凸部３３が通過不能な第２透孔４９とを有するベース部４１ａと、ベース部４１ａに近接して係合凸部３３が第２透孔４９から第１透孔４８に移動することを規制する近接位置と、ベース部４１ａに離隔して係合凸部３３が第２透孔４９から第１透孔４８に移動することを許容する離隔位置とに移動するストッパー４２と、ストッパー４２を離隔位置から近接位置へ向けて付勢する板バネ４３とを備える。【選択図】図３
2014055451.tif 000002
【特許請求の範囲】
【請求項１】
固定部材と可動部材との間に位置し、ロッドと前記ロッドの端部を挿入するシリンダとを有して通常では一端と他端とが離隔する伸長状態である一方、一端と他端とが近接するように力が加えられた場合には収縮状態に変化して伸縮方向へ延びる本体と、前記固定部材および前記可動部材の少なくとも一方と前記本体とを連結するブラケットとを備えるステーであって、
前記ブラケットは、
前記本体の一端および他端の少なくとも一方に配置された係合凸部が通過可能な第１透孔、および前記第１透孔に連続して前記係合凸部が通過不能な第２透孔とを有するベース部と、
前記ベース部に近接して前記係合凸部が前記第２透孔から前記第１透孔に移動することを規制する近接位置と、前記ベース部に離隔して前記係合凸部が前記第２透孔から前記第１透孔に移動することを許容する離隔位置とに移動するストッパーと、
前記ストッパーを前記離隔位置から前記近接位置へ向けて付勢するバネとを備えることを特徴とする前記ステー。
【請求項２】
前記ベース部の両側には互いに対向する一対の側壁部を設けてあり、
前記ベース部の前記第１透孔の両側には、前記ベース部から離隔する方向へ延びる一対の長孔を前記側壁部に形成してあり、
前記ストッパーは、前記一対の長孔を貫通する軸状の部材であり、
前記ストッパーの両端には、前記ストッパーの軸の径外方向へ延びる一対のアーム部と、一対の前記アーム部の一方の端部を互いに連結する軸部と、一対の前記アーム部の他方の端部を互いに連結する操作部とを設けてある請求項１に記載のステー。
【請求項３】
前記第２透孔は前記第１透孔に対して前記本体の伸縮方向へ連続し、
前記第１透孔が前記伸縮方向に対して前記本体の他端に近接する一方、前記第２透孔が前記伸縮方向に対して前記本体の他端に離隔するように、前記本体の一端に前記ブラケットを取り付けてある請求項１または２記載のステー。
【請求項４】
前記第２透孔は前記第１透孔に対して前記本体の伸縮方向へ連続し、
前記第１透孔が前記伸縮方向に対して前記本体の他端に離隔する一方、前記第２透孔が前記伸縮方向に対して前記本体の他端に近接するように、前記本体の一端に前記ブラケットを取り付けてある請求項１または２記載のステー。
【請求項５】
前記ブラケットは、前記本体の一端および他端にそれぞれ取り付けてあり、
前記伸縮方向に対して、前記第１透孔が互いに近接する一方、前記第２透孔が互いに離隔するように一対の前記ブラケットを配置してある請求項３に記載のステー。
【請求項６】
前記ブラケットは、前記本体の一端および他端にそれぞれ取り付けてあり、
前記伸縮方向に対して、前記第１透孔が互いに離隔する一方、前記第２透孔が互いに近接するように一対の前記ブラケットを配置してある請求項４に記載のステー。
【発明の詳細な説明】
【技術分野】
【０００１】
この発明は、ステーに関する。
【背景技術】
【０００２】
従来、固定部材と可動部材との間に位置するステーは公知である。例えば、特許文献１には、可動部材であるドアと、固定部材である枠との間に位置するステーが開示されている。
【０００３】
前記ステーは、ドア側に位置するドア側アームと、枠側に位置する枠側アームとを備えている。
【０００４】
ドア側アームの一端には角孔を形成する一方、ドアには、前記角孔に係合する矩形の凸部を設けてある。また、矩形の凸部の先端には、ネジ孔を形成してある。
【０００５】
ドアと、ドア側アームとを連結する場合には、角孔に凸部を挿入してから凸部の先端のネジ孔にネジを締結する。
【先行技術文献】
【特許文献】
【０００６】
【特許文献１】特開２００３−１８４４１７号公報
【発明の概要】
【発明が解決しようとする課題】
【０００７】
特許文献１に開示されているステーにおいて、ドアからドア側アームを取り外す場合には、ドアとドア側アームとを連結するネジの締結を解除しなければならず、ドライバー等の工具が必要であり、かつ手間がかかる問題があった。
【０００８】
この問題は、たとえば工場において、可動部材である窓と、固定部材である枠との間に位置するステーにあっては、工場に多数の窓が設けてあると、窓に設けてあるステーを全て取り外すのに膨大な時間がかかるおそれがある。
【０００９】
そこで、この発明は、固定部材または可動部材から本体を容易に取り外すことができるステーを提供することを課題にしている。
【課題を解決するための手段】
【００１０】
前記課題を解決するために、この発明が対象とするのは、固定部材と可動部材との間に位置し、ロッドと前記ロッドの端部を挿入するシリンダとを有して通常では一端と他端とが離隔する伸長状態である一方、一端と他端とが近接するように力が加えられた場合には収縮状態に変化して伸縮方向へ延びる本体と、前記固定部材および前記可動部材の少なくとも一方と前記本体とを連結するブラケットとを備えるステーである。
【００１１】
かかるステーにおいて、この発明が特徴とするところは、以下のとおりである。  前記ブラケットは、前記本体の一端および他端の少なくとも一方に配置された係合凸部が通過可能な第１透孔、および前記第１透孔に連続して前記係合凸部が通過不能な第２透孔とを有するベース部と、前記ベース部に近接して前記係合凸部が前記第２透孔から前記第１透孔に移動することを規制する近接位置と、前記ベース部に離隔して前記係合凸部が前記第２透孔から前記第１透孔に移動することを許容する離隔位置とに移動するストッパーと、前記ストッパーを前記離隔位置から前記近接位置へ向けて付勢するバネとを備える。
【００１２】
この発明の実施形態の一つにおいて、前記ベース部の両側には互いに対向する一対の側壁部を設けてあり、前記ベース部の前記第１透孔の両側には、前記ベース部から離隔する方向へ延びる一対の長孔を前記側壁部に形成してあり、前記ストッパーは、前記一対の長孔を貫通する軸状の部材であり、前記ストッパーの両端には、前記ストッパーの軸の径外方向へ延びる一対のアーム部と、一対の前記アーム部の一方の端部を互いに連結する軸部と、一対の前記アーム部の他方の端部を互いに連結する操作部とを設けてある。
【００１３】
この発明の別の実施形態の一つにおいて、前記第２透孔は前記第１透孔に対して前記本体の伸縮方向へ連続し、前記第１透孔が前記伸縮方向に対して前記本体の他端に近接する一方、前記第２透孔が前記伸縮方向に対して前記本体の他端に離隔するように、前記本体の一端に前記ブラケットを取り付けてある。
【００１４】
この発明の別の実施形態の一つにおいて、前記第２透孔は前記第１透孔に対して前記本体の伸縮方向へ連続し、前記第１透孔が前記伸縮方向に対して前記本体の他端に離隔する一方、前記第２透孔が前記伸縮方向に対して前記本体の他端に近接するように、前記本体の一端に前記ブラケットを取り付けてある。
【００１５】
この発明の別の実施形態の一つにおいて、前記ブラケットは、前記本体の一端および他端にそれぞれ取り付けてある。前記伸縮方向に対して、前記第１透孔が互いに近接する一方、前記第２透孔が互いに離隔するように一対の前記ブラケットを配置してある。
【００１６】
この発明の別の実施形態の一つにおいて、前記ブラケットは、前記本体の一端および他端にそれぞれ取り付けてある。前記伸縮方向に対して、前記第１透孔が互いに離隔する一方、前記第２透孔が互いに近接するように一対の前記ブラケットを配置してある。
【発明の効果】
【００１７】
この発明に係るステーのブラケットは、本体の端部に配置された係合凸部が通過可能な第１透孔、および第１透孔に連続して係合凸部が通過不能な第２透孔とを有するベース部と、ベース部に近接して係合凸部が第２透孔から第１透孔に移動することを規制する近接位置と、ベース部に離隔して係合凸部が第２透孔から第１透孔に移動することを許容する離隔位置とに移動するストッパーと、ストッパーを離隔位置から近接位置へ向けて付勢するバネとを備える。従って、通常、バネによってストッパーが近接位置に配置されるため、ストッパーによって係合凸部が第２透孔に位置し、ブラケットで可動部材または固定部材と本体との連結が維持される。一方、バネの付勢に抗してストッパーを近接位置から離隔位置に移動させれば、係合凸部が第２透孔から第１透孔に移動することが許容されるため、固定部材または可動部材から本体を容易に取り外すことができる。しかも、ドライバー等の工具も必要とならない。
【図面の簡単な説明】
【００１８】
【図１】使用状態にあるステーの斜視図。
【図２】本体およびブラケットの斜視図。
【図３】ロッドの他方の端部と、シリンダの一方の端部を示す説明図であるとともに、ブラケットを構成する部品の組立図。
【図４】ブラケットの斜視図。
【図５】図４のＶ−Ｖ線の断面図。
【図６】図４のＶＩ−ＶＩ線矢視図。
【図７】本発明に係るステーの第１変形例を示す斜視図。
【図８】本発明に係るステーの第２変形例を示す説明図。
【図９】本発明に係るステーの第３変形例を示す説明図。
【発明を実施するための形態】
【００１９】
添付の図面を参照してこの発明に係るステーの詳細を説明すると以下のとおりである。
【００２０】
図１は、使用状態にあるステー１０の斜視図である。ステー１０は、固定部材である枠１２と、可動部材である窓１３との間に位置する。
【００２１】
図２は、ステー１０の斜視図である。ステー１０は、本体２０とブラケット４０とを備えている。図２中、Ｘは、後述する本体２０の伸縮方向Ｘを示す。
【００２２】
本体２０は、ロッド２１とシリンダ２２とを有し、ロッド２１の一方の端部２１ａを、シリンダ２２の他方の端部２２ｂに挿入して本体２０の長さ方向へ伸縮可能に形成してある。
【００２３】
本体２０は、ロッド２１とシリンダ２２との間の空間に気体を封入してあり、通常では、気体の圧力によってロッド２１の一方の端部２１ａがシリンダ２２の他方の端部２２ｂから露出し、本体２０の一端２０ａと他端２０ｂとが離隔する伸長状態にある。この状態から、本体２０の一端２０ａと他端２０ｂとが近接するように力が加えられた場合には、ロッド２１の一方の端部２１ａが、シリンダ２２の他方の端部２２ｂに覆われて、本体２０の一端２０ａと他端２０ｂとが近接する収縮状態に変化するが、力が除かれた場合には伸長状態に復帰する。
【００２４】
図３は、ロッド２１の他方の端部２１ｂと、シリンダ２２の一方の端部２２ａを示す説明図であるとともに、ブラケット４０を構成する部品の組立図である。
【００２５】
本体２０の一端２０ａおよび他端２０ｂには、貫通孔２３をそれぞれ形成してある。各貫通孔２３には、ウェーブワッシャー３８を通した、後述する係合部材３０の雄ネジ３４を設けた軸部３２ｂを通してあり、雄ネジ３４の先端にはワッシャ３６を介してナット３７を締結し、本体２０の一端２０ａおよび他端２０ｂには係合部材３０を取り付けてある。
【００２６】
係合部材３０は、図３〜５に示すように、頭部３１と、頭部３１から互いにその先端が離隔するように一方の方向および他方の方向へ突出する軸部３２ａ，３２ｂと、頭部３１から一方の方向へ突出する軸部３２ａの先端に形成した係合凸部３３と、頭部３１から他方の方向へ突出する軸部３２ｂの周面に形成した雄ネジ３４とを備えている。
【００２７】
頭部３１は、板状に形成してあり、スパナ等の工具が接触する一対の直状部３１ａと、一対の直状部３１ａの間に配置した弧状部３１ｂとを備えている。
【００２８】
係合凸部３３は、板状に形成してあり、その径方向の長さＬ１が、頭部３１における一対の直状部３１ａの径方向の長さＬ２よりも小さい（図６参照）。
【００２９】
係合部材３０は、係合凸部３３と頭部３１との間から一方の軸部３２ａが露出し、係合凸部３３と頭部３１との間隔は、係合凸部３３と頭部３１との間に後述するベース部４１ａが挿入できるように設定してある（図４〜６参照）。
【００３０】
ブラケット４０は、係合部材３０を介して、本体２０の一端２０ａに取り付けてあるとともに、本体２０の他端２０ｂに取り付けてある。より具体的には、ブラケット４０は、係合部材３０を介して、ロッド２１の一方の端部２１ｂに取り付けてあるとともに、シリンダ２２の他方の端部２２ａに取り付けてある（図２，３参照）。これらのブラケット４０を介して、例えばロッド２１の一方の端部２１ｂが窓１３に取り付けてある一方、シリンダ２２の他方の端部２２ａが枠１２に取り付けてある（図１参照）。
【００３１】
これらのブラケット４０は、同一の構成を有しているため、再び、図３〜６を参照して、本体２０の他端２０ｂに取り付けられたブラケット４０について説明する。
【００３２】
ブラケット４０は、基板４１と、ストッパー４２と、板バネ４３とを備えている。基板４１は、矩形のベース部４１ａと、ベース部４１ａに対して直交する側壁部４１ｂと、ベース部４１ａに対して平行するとともに、互いに対向する側壁部４１ｂの底部から側壁部４１ｂに対して直交するように延びる一対の取付部４１ｃとを有し、例えば金属製の板材を折り曲げて形成してある。
【００３３】
ベース部４１ａは、第１透孔４８と、第１透孔４８に対して本体２０の伸縮方向Ｘへ連続する第２透孔４９とを有している。第１透孔４８は、軸部３２ａのみならず係合凸部３３が通過可能である一方、頭部３１が通過不能であるように円形に形成してある。第２透孔４９は、軸部３２ａが通過可能である一方、頭部３１および係合凸部３３が通過不能なように形成してある。
【００３４】
基板４１には、ストッパー４２を貫通させるための一対の長孔４４を形成してある。一対の長孔４４は、第１透孔４８の両側に配置してあり、ベース部４１ａの両端部から側壁部４１ｂに延びるように形成してある。より具体的には、長孔４４は、ベース部４１ａから離隔する方向へ延びるように、ベース部４１ａから側壁部４１ｂにわたり形成してある。
【００３５】
側壁部４１ｂは、互いに対向する一対の側壁部４１ｂと、本体２０の一端２０ａに離隔するように配置された側壁部４１ｂとが、矩形のベース部４１ａの三方に配置してある。
【００３６】
取付部４１ｃは、互いに対向する一対の側壁部４１ｂのみから延びるように形成してあり、ブラケット４０を枠１２または窓１３に取り付けるボルト６１の雄ネジを貫通させるための取付孔Ｈ１を有している。
【００３７】
ストッパー４２は、長さ方向に延びる軸状の部材であり、横断面が円形である。ストッパー４２の両端には、それらの両端に通す一対の平座金４５と、ストッパー４２を基板４１に取り付けるための一対の取付部材４６とを設けてある。取付部材４６は、金属製で弧状に形成してあり、両端が接近するように変形させることによって、ストッパー４２に固定する。ストッパー４２における取付部材４６を配置する部位には、周面から径内方向に凹む凹部４２ａを形成してある。
【００３８】
ストッパー４２の両端を基板４１の長孔４４に通してあり、ストッパー４２は、ベース部４１ａに近接する近接位置（図５において実線で示す）と、ベース部４１ａから離隔する離隔位置（図５において仮想線で示す）とに移動するように、基板４１からストッパー４２が抜け出ることを防止しながら基板４１に取り付けてある。
【００３９】
基板４１のベース部４１ａには円形の孔Ｈ２を一対形成し、バネである板バネ４３にも円形の孔Ｈ３を一対形成し、これらの孔Ｈ２，Ｈ３に先端を通したリベット４３ａによって板バネ４３を基板４１に取り付けてある。また、板バネ４３の付勢力によって、ストッパー４２を離隔位置から近接位置へ向けて付勢してある。
【００４０】
ブラケット４０は、例えば台６２を介して、取付孔Ｈ１に先端の雄ネジを通したボルト６１によって枠１２に取り付けてあるとともに、別の一方のブラケット４０は、同様にボルト６１によって窓１３に取り付けてある（図１参照）。
【００４１】
一対のブラケット４０のうち、本体２０の他端２０ｂに取り付けるブラケット４０、具体的には窓１３に取り付けるブラケット４０は、第１透孔４８が伸縮方向Ｘに対して本体２０の一端２０ａに近接する一方、第２透孔４９が伸縮方向Ｘに対して本体２０の一端２０ａに離隔するように本体２０の他端２０ｂに取り付けてある。
【００４２】
ブラケット４０を介して本体２０の他端２０ｂを窓１３に取り付ける場合、第１透孔４８に係合凸部３３を挿入し、板バネ４３の付勢力に抗して係合部材３０を押圧し、ストッパー４２を近接位置から離隔位置へと移動させ、ベース部４１ａに頭部３１を当接する。この状態から、係合凸部３３を第１透孔４８から第２透孔４９へ移動させれば、板バネ４３の付勢力によって、ストッパー４２が離隔位置から近接位置へ復帰する。
【００４３】
板バネ４３の付勢力によってストッパー４２が近接位置に配置された場合には、係合凸部３３にストッパー４２が当接することによって、ストッパー４２が第２透孔４９から第１透孔４８に移動することを規制する。また、上記と同様の操作によって、別のもう一方のブラケット４０により本体２０の一端２０ａを枠１２に取り付ける。
【００４４】
本体２０の一端２０ａおよび他端２０ｂを一対のブラケット４０で取り付ければ、窓１３が所定の開放状態となる。この開放状態において、窓１３に取り付けたブラケット４０のストッパー４２の両端を、板バネ４３の付勢力に抗して押圧し、ストッパー４２を近接位置から離隔位置に移動させれば、係合凸部３３とストッパー４２との当接が解除され、係合凸部３３を第２透孔４９から第１透孔４８へ移動させて、窓１３から本体２０の他端２０ｂを取り外すことができる。また、上記と同様の操作により、枠１２から本体２０の一端２０ａを取り外すことができる。
【００４５】
このステー１０のブラケット４０は、本体２０の端部に配置された係合凸部３３が通過可能な第１透孔４８、および第１透孔４８に連続して係合凸部３３が通過不能な第２透孔４９とを有するベース部４１ａと、ベース部４１ａに近接して係合凸部３３が第２透孔４９から第１透孔４８に移動することを規制する近接位置と、基板４１に離隔して係合凸部３３が第２透孔４９から第１透孔４８に移動することを許容するストッパー４２と、ストッパー４２を離隔位置から近接位置へ向けて付勢する板バネ４３とを備える。よって、通常、板バネ４３によってストッパー４２が近接位置に配置されるため、ストッパー４２によって係合凸部３３が第２透孔４９に位置し、ブラケット４０で枠１２と本体２０との連結が維持され、かつ窓１３と本体２０との連結が維持される。一方、板バネ４３の付勢に抗してストッパー４２を近接位置から離隔位置に移動させれば、係合凸部３３が第２透孔４９から第１透孔４８に移動することが許容されるため、枠１２から本体２０の一端を容易に取り外すことができ、同様に窓１３から本体２０の他端を取り外すことができる。
【００４６】
なお、上述において、固定部材の一例として枠１２を示し、可動部材の一例として窓１３を示したが、本発明において、固定部材は枠１２に限られず、可動部材は窓１３に限られない。例えば、車両において、可動部材であるドアと、固定部材である車両本体との間にこの発明に係るステーを用いることもできる。また、本体２０の一端２０ａに枠１２を取り付ける一方、本体２０の他端２０ｂに窓１３を取り付けるもので説明したが、本体２０の一端２０ａに窓１３を取り付ける一方、本体２０の他端２０ｂに枠１２を取り付けてもよい。
【００４７】
さらに、係合部材３０およびブラケット４０を本体２０の一端２０ａおよび他端２０ｂにそれぞれ取り付ける例を示したが、一端２０ａおよび他端２０ｂの少なくともいずれか一方にブラケット４０を取り付けても、上述した作用・効果を奏することができる。
【００４８】
図７は、この発明に係るステー１０のブラケット４０の第１変形例を示す説明図である。図７に示すブラケット４００の基本構成は、上記で説明したブラケット４０と同様であるため、異なる部分のみ説明する。
【００４９】
このブラケット４００のストッパー４２の両端には、ストッパー４２の軸に対して径外方向へ延びる一対のアーム部５０と、一対のアーム部５０の一方の端部５１を互いに連結する軸部５２と、一対のアーム部５０の他方の端部５３を互いに連結する操作部５４とを設けてある。
【００５０】
図示省略するが、ブラケット４００の一対の長孔は、軸部５２の軸心を中心として弧状に形成してある。
【００５１】
このブラケット４００では、図７中、実線で示す操作部５４を板バネ４３の付勢力に抗して押圧すれば、軸部５２の軸心を中心に図７中、操作部５４が矢印Ｙに示す方向へ旋回して図７中、仮想線で示す状態に位置し、操作部５４の旋回に伴ってストッパー４２が近接位置から離隔位置に移動することとなる。
【００５２】
図１〜６に示すブラケット４０では、ストッパー４２を近接位置から離隔位置へ移動させる場合、ストッパー４２の両端をそれぞれ指で押圧しなければならない。一方、図７に示すブラケット４００では、操作部５４の中央を指で押圧すればよい。よって、一層、枠１２または窓１３から本体２０を取り外すのが容易になる。
【００５３】
図８は、この発明に係るステー１０のブラケット４０の第２変形例を示す説明図である。このブラケット４０の基本構成は、上記で説明したブラケット４０と同様であるため、異なる部分のみ説明する。
【００５４】
一対のブラケット４０は、本体２０の伸縮方向Ｘに対して、第１透孔４８が互いに近接する一方、第２透孔４９が互いに離隔するように配置してある。
【００５５】
このようにブラケット４０を配置すれば、通常、所定の伸長状態にある本体２０に適用する場合、第２透孔４９の周縁に本体２０の伸長力が加わる一方、ストッパー４２には力が加わらないため、ストッパー４２が壊れることを防止することができる。
【００５６】
なお、第１透孔４８が伸縮方向Ｘに対して本体２０の他端２０ｂに近接する一方、第２透孔４９が伸縮方向Ｘに対して本体２０の他端２０ｂに離隔するように、本体２０の一端２０ａのみにブラケット４０を取り付けてもよい。
【００５７】
図９は、この発明に係るステー１０のブラケット４０の第３変形例を示す説明図である。このブラケット４０の基本構成は、上記で説明したブラケット４０と同様であるため、異なる部分のみ説明する。
【００５８】
一対のブラケット４０は、本体２０の伸縮方向Ｘに対して、第１透孔４８が互いに離隔する一方、第２透孔４９が互い近接するように配置してある。
【００５９】
このようにブラケット４０を配置すれば、本体２０の一端２０ａおよび他端２０ｂは離隔するように伸長力が加えられるため、ストッパー４２を近接位置から離隔位置に移動させれば、本体２０の伸長力によって、係合凸部３３が第２透孔４９から第１透孔４８に移動し、枠１２または窓１３から本体２０を容易に取り外すことができる。
【００６０】
なお、第２透孔４９が伸縮方向Ｘに対して本体２０の他端２０ｂに近接する一方、第１透孔４８が伸縮方向Ｘに対して本体２０の他端２０ｂに離隔するように、本体２０の一端２０ａのみにブラケット４０を取り付けてもよい。
【符号の説明】
【００６１】
１０    ステー
１２    枠（固定部材）
１３    窓（可動部材）
２０    本体
２０ａ  一端
２０ｂ  他端
２１    ロッド
２１ａ  一方の端部
２１ｂ  他方の端部
２２    シリンダ
２２ａ  一方の端部
２２ｂ  他方の端部
３３    係合凸部
４０    ブラケット
４１ａ  ベース部
４１ｂ  側壁部
４２    ストッパー
４３    板バネ（バネ）
４４    長孔
４８    第１透孔
４９    第２透孔
５０    アーム部
５１    一方の端部
５２    軸部
５３    他方の端部
５４    操作部
Ｘ      伸縮方向
【図１】
2014055451.tif 000003
【図２】
2014055451.tif 000004
【図３】
2014055451.tif 000005
【図４】
2014055451.tif 000006
【図５】
2014055451.tif 000007
【図６】
2014055451.tif 000008
【図７】
2014055451.tif 000009
【図８】
2014055451.tif 000010
【図９】
2014055451.tif 000011